【手続補正書】
【提出日】平成20年8月6日(2008.8.6)
【手続補正１】
【補正対象書類名】明細書
【補正対象項目名】特許請求の範囲
【補正方法】変更
【補正の内容】
【特許請求の範囲】
【請求項１】
通信回線の特性を決定するためのデータ後処理および解釈モジュールを備えた  マルチキャリア通信回線の特性付けシステムにおいて、
前記データ後処理および解釈モジュールは、遠隔に位置しデータ収集モジュールを有するマルチキャリアモデムからの生データを受信するようにされ、
前記データ後処理および解釈モジュールは、通信線の特性を決定するため、前記データ収集モジュールから受信した生データを解釈するようにされており、
前記データ後処理および解釈モジュールは、障害のある実際のデータ転送速度と障害のない回線での推定データ転送速度との差を算出することによって、データ転送速度減少推定を実行するようにされたマルチキャリア通信回線の特性付けシステム。
【請求項２】
請求項１のマルチキャリア通信回線の特性付けシステムにおいて、当該マルチキャリア通信回線の特性付けシステムは、生データを収集するよう構成されたデータ収集モジュールを有するマルチキャリアモデムを備えている。
【請求項３】
請求項１または２のマルチキャリア通信回線の特性付けシステムにおいて、前記データ後処理および解釈モジュールは、少なくとも、ループ特性付け、妨害検出、データ転送速度推定のいずれか一つを実行する。
【請求項４】
通信回線の特性を決定するための通信回線の特性付け方法において、
当該方法は以下のステップを備える、
遠隔に位置しデータ収集モジュールを有するマルチキャリアモデムからの生データを受信し、
通信線の特性を決定するため、前記データ収集モジュールから受信した生データを解釈し、
障害のある実際のデータ転送速度と障害のない回線での推定データ転送速度との差を算出することによってデータ転送速度減少を推定する。
【請求項５】
請求項４の方法において、当該方法は、遠隔に位置するマルチキャリアモデムの生データを収集するステップをさらに備えたことを特徴とする。
【請求項６】
請求項４または５の方法において、当該方法は、少なくとも、ループ特性付け、妨害検出、データ転送速度推定のいずれか一つをさらに実行することを特徴とする。
【請求項７】
通信回線の特性付けシステム。
【手続補正２】
【補正対象書類名】明細書
【補正対象項目名】００２８
【補正方法】変更
【補正の内容】
【００２８】
例えば、上記で述べたように、モデムと後処理と解釈モジュール１５０との間に通信リンクを確立することが困難である場合には、同時係属米国出願第０９／７５５，１７３号に記載されるように診断リンクが確立できる。しかしながら、一般的にはＣＯモデムとＣＰＥモデムの１つ以上からデータを回送することができるいずれのプロトコルまたは方法は、本発明のシステムおよび方法と同等に良好に作動できる。
【手続補正３】
【補正対象書類名】明細書
【補正対象項目名】００２９
【補正方法】変更
【補正の内容】
【００２９】
データ収集の後に、後処理と解釈モジュール１５０はデータを処理し、例えば、回線特性の更なる容易な解釈を可能にする。詳細には、後処理プロセスは較正、フィルタ補正、ビットと利得のテーブルからのＳＮＲメドレーの決定、および転送速度変換を含む。解釈プロセスは、１つ以上のパラメータを格納する解釈パラメータ記憶装置１６０と協同して、ループ特性付け、障害物検出、データ転送速度減少推定、およびデータ転送速度推定を含む。
【手続補正４】
【補正対象書類名】明細書
【補正対象項目名】００３１
【補正方法】変更
【補正の内容】
【００３１】
一般的に、解釈プロセス中に代表例のループ長推定手順はループ長を推定し、伝送回線上の１つ以上のブリッジタップの存在を決定しようと試みる。ブリッジタップが検出される場合、ブリッジタップの長さも推定される。推定は、ループ長およびブリッジタップの長さと位置という点からパラメータ化される回線の伝達関数のモデルを、実際の測定された回線の伝達関数と比較することによって実行される。３つの異なるアルゴリズムが、使用されているデータセットに依存してループの物理的構造を推定するのに使用される、すなわち、アップストリーム、ダウンストリーム、または、両端の時間領域反射計測法である。
【手続補正５】
【補正対象書類名】明細書
【補正対象項目名】００５６
【補正方法】変更
【補正の内容】
【００５６】
ｘk（ｎ）、ｎ＝１，．．．，Ｎ、がエコーキャンセラの出力でｋ番目フレームでの受信された信号のサンプルされたバージョンであり、Ｎがフレーム内の信号サンプル数である場合、ＴＤＲ波形は次となる：
【数１】
2004506376.tif 000001
ＴＤＲ波形は時間領域平均することによって取得されることに注意のこと。それ故に、受信経路におけるＦＦＴは、平均するプロセス中に止められることになる。
【手続補正６】
【補正対象書類名】明細書
【補正対象項目名】００５８
【補正方法】変更
【補正の内容】
【００５８】
代表例の方法は、一般的に、観測されたエコーをモデルのエコーと比較する、モデルでは、チャネルは、図７に示すように、２つのブリッジタップによって分離された３部から成ると想定されている。ＴＤＲ解析の目的は、ｄi、ｉ＝１，２，３とｂj、ｊ＝１，２を推定することであり、これらはブリッジタップの位置と長さだけでなく全体のループの長さについての情報を提供する。
【手続補正７】
【補正対象書類名】明細書
【補正対象項目名】００８７
【補正方法】変更
【補正の内容】
【００８７】
ステップＳ８９５で、推定された最大データ転送速度が決定される。次には、ステップＳ８９７で、転送速度劣化推定が出力される。制御は、次にステップＳ８９９へ続き、ここで制御系列は終了する。
【手続補正８】
【補正対象書類名】明細書
【補正対象項目名】００９６
【補正方法】変更
【補正の内容】
【００９６】
本発明のいくつかの特徴を以下に列挙する。
(1)多数搬送波通信回線の特性付けシステムであって：
データ後処理モジュール；および
データ解釈モジュール；を備え、データ収集モジュール経由で１つ以上のモデムから受信される生データを使用して、通信リンクの前記特性を決定する多数搬送波通信回線特性付けシステム。
(2)(1)のシステムであって、
前記データ処理モジュールは、較正、フィルタ補正、ビットと利得のテーブルからのＳＮＲメドレーの決定、およびデータ転送速度変換のうちの少なくとも一つを実行する。
(3)(1)のシステムであって、
前記データ解釈モジュールは、ループ特性付け、妨害物検出、データ減少推定、およびデータ転送速度推定のうちの少なくとも一つを実行する。
(4)(1)のシステムであって、
前記通信リンクは、デジタル加入者線通信システム、ディスクリートマルチトーン通信システム、または離散型ウェーブレットマルチトーン通信システムのうちの少なくとも一つの一部であり、前記多数搬送波通信回線特性付けシステムは、ＣＯモデムまたはＣＰＥモデムの１つ以上から取得されるデータに基づき前記通信リンクについて視覚的にディスプレイ可能なデータを出力する。
(5)多数搬送波通信回線特性付けシステムであって：
較正されたデータ決定モジュールを備え、較正されたデータは、データアレイ、前記データアレイ中のエレメント数、プログラム可能な利得の増幅器の設定、および倍率に基づき決定される多数搬送波通信回線特性付けシステム。
(6)(5)のシステムであって、
前記較正されたデータは：
ＣａｌｉｂｒａｔｅｄＤａｔａ［ｉ］
＝１０＊Ｌｏｇ１０（ＲａｗＤａｔａ［ｉ］＊２ＧＳｃａｌｅ）−ＰＧＡ
に従って決定され、
ここで、ＣａｌｉｂｒａｔｅｄＤａｔａ［ｉ］は較正されたデータアレイであり、ＲａｗＤａｔａ［ｉ］はモデムから受信されたデータであり、ＧＳｃａｌｅは利得倍率であり、そしてＰＧＡは前記データアレイを収集するために使用されたプログラム可能な利得の増幅器の設定である。
(7)多数搬送波通信回線特性付けシステムであって：
較正されたデータアレイ、周波数領域フィルタ関数、および前記較正されたデータアレイ中のエレメント数に基づき、フィルタ補正されたデータアレイを決定するフィルタ補正データアレイ決定モジュールを備える多数搬送波通信回線特性付けシステム。
(8)(7)のシステムであって、
前記周波数領域フィルタ関数は、１つ以上のアナログフロントエンドフィルタのデバイス特有の周波数領域応答に基づく。
(9)多数搬送波通信回線特性付けシステムであって：
時間領域等化フィルタおよび周波数領域等化フィルタのうち１つ以上の影響を低減するフィルタ補正データアレイ決定モジュールを備える多数搬送波通信回線特性付けシステム。
(10)(9)のシステムであって、
前記フィルタ補正データアレイは、較正されたデータアレイ、１つ以上の時間領域等化器係数、１つ以上の周波数領域フィルタ係数、および前記較正されたデータアレイ中のエレメント数に基づく。
(11)多数搬送波通信回線特性付けシステムであって：
遠方端ビットローディングテーブル、遠方端微細利得テーブル、前記遠方端ビットローディングテーブルおよび前記遠方端微細利得テーブルにあるビット数、所要信号対ノイズ比、およびマージンに基づき、遠方端信号対ノイズ比テーブルを推定する遠方端信号対ノイズ比テーブル推定器を備える多数搬送波通信回線特性付けシステム。
(12)(11)のシステムであって、
前記マージンは、前記遠方端ビットローディングテーブルを決定する際に前記信号対ノイズ比が低減されることになる量に基づく。
(13)多数搬送波通信回線特性付けシステムであって：
エコー波形、時間領域反射率波形、および通信チャネル応答のモデルとの比較に基づき、前記ループ長および１つ以上のブリッジタップの存在の推定を決定するループ長およびブリッジタップ推定モジュールを備える多数搬送波通信回線特性付けシステム。
(14)(13)のシステムであって、
前記推定は、誤差関数を最小化するループ長およびブリッジタップ長に基づき決定される。
(15)多数搬送波通信回線特性付けシステムであって：
無使用チャネルノイズ量および平均２乗誤差の最小化に基づき通信リンク上の妨害を決定する妨害推定モジュールを備える多数搬送波通信回線特性付けシステム。
(16)(15)のシステムであって、
前記最小化は、障害物の電力および白色ノイズの電力を変えることに基づく。
(17)多数搬送波通信回線特性付けシステムであって：
チャネルノイズを含むアレイ、前記アレイの２次差、および１つ以上の搬送波周波数の閾値との比較に基づき、１つ以上のＡＭ障害物の存在を決定するＡＭ障害物推定モジュールを備える多数搬送波通信回線特性付けシステム。
(18)(17)のシステムであって、
前記推定モジュールは、検出されたＡＭ障害物に対応する１つ以上のトーン番号を含むアレイを出力する。
(19)(17)のシステムであって、
前記推定モジュールは、検出されたＡＭ障害物の電力レベルを含むアレイを出力する。
(20)(17)のシステムであって、
前記推定モジュールは、検出されたＡＭ障害物の数を表す数を出力する。
(21)多数搬送波通信回線特性付けシステムであって：
チャネルノイズを含むアレイ、前記アレイの２次差、および１つ以上の搬送波周波数と閾値との比較に基づき、１つ以上のＥＭＩ障害物の存在を決定するＥＭＩ障害物推定モジュールを備える多数搬送波通信回線特性付けシステム。
(22)(17)のシステムであって、
前記推定モジュールは、検出されたＥＭＩ障害物に対応する１つ以上のトーン番号を含むアレイを出力する。
(23)(17)のシステムであって、
前記推定モジュールは、検出されたＥＭＩ障害物の電力レベルを含むアレイを出力する。
(24)(17)のシステムであって、
前記推定モジュールは、検出されたＥＭＩ障害物の数を表す数を出力する。
(25)多数搬送波通信回線特性付けシステムであって：
推定された最大データ転送速度および１つ以上の障害物に起因するＳＮＲ低減に基づき、転送速度劣化を推定する転送速度劣化推定モジュールを備える多数搬送波通信回線特性付けシステム。
(26)(25)のシステムであって、
前記転送速度推定は、無使用チャネルノイズを含むアレイ、クロストークもＡＭ／ＥＭＩ障害物も無い無使用チャネルノイズを含むアレイ、ＳＮＲメドレー、マージン、フレーム化モード、符号化利得、ＳＮＲテーブルにあるエレメント数、およびデータ転送速度にも基づく。
(27)多数搬送波通信回線特性付けシステムであって：
チャネル減衰量、無使用チャネル上のノイズ、マージン、フレーム化モードについての情報、符号化利得、およびＳＮＲテーブルに基づき、通信チャネルのためのデータ転送速度を推定するデータ転送速度推定モジュールを備える多数搬送波通信回線特性付けシステム。
(28)(27)のシステムであって、
前記推定は、ＳＮＲ上にビットローディングを実行することに基づく。
(29)多数搬送波通信リンクを特性付ける方法であって：
ＣＯモデムおよびＣＰＥモデムの１つ以上から受信されるデータを後処理すること；および
前記通信リンクの前記特性を決定するために前記データを解釈すること；
を含む、多数搬送波通信リンクを特性付ける方法。
(30)(29)の方法であって、
前記後処理は、較正、フィルタ補正、ビットと利得のテーブルからのＳＮＲメドレーの決定、およびデータ転送速度変換のうちの少なくともひとつを含む。
(31)(29)の方法であって、
前記データ解釈は、ループ特性付け、妨害物検出、データ減少推定、およびデータ転送速度推定のうちの少なくとも一つを含む。
(32)(29)の方法であって、
前記通信リンクは、デジタル加入者線通信システム、ディスクリートマルチトーン通信システム、または離散型ウェーブレットマルチトーン通信システムのうち少なくとも一つの一部であり、前記ＣＯモデムまたは前記ＣＰＥモデムの１つ以上から取得されるデータに基づき前記通信リンクについて視覚的にディスプレイ可能なデータが出力される。
(33)多数搬送波通信リンクを特性付ける方法であって：
データアレイ、前記データアレイにあるエレメント数、プログラム可能な利得の増幅器の設定、および倍率に基づき、データを較正することを含む、多数搬送波通信リンクを特性付ける方法。
(34)(33)の方法であって、
前記較正されたデータは：
ＣａｌｉｂｒａｔｅｄＤａｔａ［ｉ］
＝１０＊Ｌｏｇ１０（ＲａｗＤａｔａ［ｉ］＊２ＧＳｃａｌｅ）−ＰＧＡ
に従って決定され、
ここで、ＣａｌｉｂｒａｔｅｄＤａｔａ［ｉ］は較正されたデータアレイであり、ＲａｗＤａｔａ［ｉ］はモデムから受信されたデータであり、ＧＳｃａｌｅは利得倍率であり、そしてＰＧＡは前記データアレイを収集するために使用されたプログラム可能な利得の増幅器の設定である。
(35)多数搬送波通信リンクを特性付ける方法であって：
較正されたデータアレイ、周波数領域フィルタ関数、および前記較正されたデータアレイにあるエレメント数に基づき、フィルタ補正されたデータアレイを決定することを含む、多数搬送波通信リンクを特性付ける方法。
(36)(35)の方法であって、
前記周波数領域フィルタ関数は、１つ以上のアナログフロントエンドフィルタのデバイス特有の周波数領域応答に基づく。
(37)多数搬送波通信リンクを特性付ける方法であって：
時間領域等化フィルタおよび周波数領域等化フィルタの１つ以上の影響を低減することに基づき、フィルタ補正されたデータアレイを決定することを含む、多数搬送波通信リンクを特性付ける方法。
(38)(37)の方法であって、
前記フィルタ補正されたデータアレイは、較正されたデータアレイ、１つ以上の時間領域等化器係数、１つ以上の周波数領域フィルタ係数、および前記較正されたデータアレイにあるエレメント数に基づく。
(39)多数搬送波通信リンクを特性付ける方法であって：
遠方端ビットローディングテーブル、遠方端微細利得テーブル、前記遠方端ビットローディングテーブルおよび前記遠方端微細利得テーブルにあるビット数、所要信号対ノイズ比、およびマージンに基づき、遠方端信号対ノイズ比テーブルを推定することを含む、多数搬送波通信リンクを特性付ける方法。
(40)(39)の方法であって、
前記マージンは、前記遠方端ビットローディングテーブルを決定する際に、前記信号対ノイズ比が低減されることになる量に基づく。
(41)多数搬送波通信リンクを特性付ける方法であって：
エコー波形、時間領域反射率波形、および通信チャネル応答とモデルとの比較に基づき、ループ長およびブリッジタップを推定することを含む、
多数搬送波通信リンクを特性付ける方法。
(42)(41)の方法であって、
前記推定は、誤差関数を最小化するループ長およびブリッジタップ長に基づき決定される。
(43)多数搬送波通信リンクを特性付ける方法であって：
無使用チャネルノイズ量および平均２乗誤差の最小化に基づき通信リンク上の妨害を推定することを含む、多数搬送波通信リンクを特性付ける方法。
(44)(43)の方法であって、
前記最小化は、障害物の電力および白色ノイズの電力を変えることに基づく。
(45)多数搬送波通信リンクを特性付ける方法であって：
チャネルノイズを含むアレイ、前記アレイの２次差、および１つ以上の搬送波周波数と閾値との比較に基づき、１つ以上のＡＭ障害物の存在を推定することを含む、多数搬送波通信リンクを特性付ける方法。
(46)(45)の方法であって、
検出されたＡＭ障害物に対応する１つ以上のトーン番号を含むアレイを出力することを更に含む。
(47)(45)の方法であって、
検出されたＡＭ障害物の電力レベルを含むアレイを出力することを更に含む。
(48)(45)の方法であって、
検出されたＡＭ障害物の数を表す数を出力することを更に含む。
(49)多数搬送波通信リンクを特性付ける方法であって：
チャネルノイズを含むアレイ、前記アレイの２次差、および１つ以上の搬送波周波数の閾値との比較に基づき、１つ以上のＥＭＩ障害物の存在を推定することを含む、多数搬送波通信リンクを特性付ける方法。
(50)(49)の方法であって、
検出されたＥＭＩ障害物に対応する１つ以上のトーン番号を含むアレイを出力することを更に含む。
(51)(49)の方法であって、
検出されたＥＭＩ障害物の電力レベルを含むアレイを出力することを更に含む。
(52)(49)の方法であって、
検出されたＥＭＩ障害物の数を表す数を出力することを更に含む。
(53)多数搬送波通信リンクを特性付ける方法であって：
推定された最大データ転送速度および１つ以上の障害物に起因するＳＮＲ低減に基づき転送速度劣化を推定することを含む、多数搬送波通信リンクを特性付ける方法。
(54)(53)の方法であって、
前記転送速度推定は、無使用チャネルノイズを含むアレイ、クロストークもＡＭ／ＥＭＩ障害物も無い無使用チャネルノイズを含むアレイ、ＳＮＲメドレー、マージン、フレーム化モード、符号化利得、ＳＮＲテーブルにあるエレメント数、およびデータ転送速度にも基づく。
(55)多数搬送波通信リンクを特性付ける方法であって：
チャネル減衰量、無使用チャネル上のノイズ、マージン、フレーム化モードについての情報、符号化利得、およびＳＮＲテーブルに基づき通信チャネルのためのデータ転送速度を推定することを含む、多数搬送波通信リンクを特性付ける方法。
(56)(55)の方法であって、
前記推定は、ＳＮＲ上にビットローディングを実行することに基づく。
(57)多数搬送波通信リンクを特性付けるための情報を含む情報記憶媒体であって：
ＣＯモデムおよびＣＰＥモデムの１つ以上から受信されるデータを後処理する情報；および
前記通信リンクの前記特性を決定するために前記データを解釈する情報；
を含む情報記憶媒体。
【手続補正９】
【補正対象書類名】図面
【補正対象項目名】図１
【補正方法】変更
【補正の内容】
【図１】
2004506376.tif 000002
【手続補正１０】
【補正対象書類名】図面
【補正対象項目名】図２
【補正方法】変更
【補正の内容】
【図２】
2004506376.tif 000003